(57)【要約】【課題】刈取装置を駆動するために備えられる刈取駆動部が損傷するおそれを少なくすることが可能となるコンバインを提供する。【解決手段】刈取部の左右両側の側壁部にて区画された刈取作業領域において植立茎稈を刈り取る刈取装置２１と、いずれか一方の側壁部１４Ｒの横外側に位置して、原動部から伝達される動力にて刈取装置２１を駆動する刈取駆動部Ｋと、一方の側壁部１４Ｒにおける横外側に位置して刈取駆動部Ｋの横外方側箇所並びに下方側箇所を覆うフレーム体１０５とが備えられている。【選択図】図１１
2014033671.tif 000002
【特許請求の範囲】
【請求項１】
刈取部の左右両側の側壁部にて区画された刈取作業領域において植立茎稈を刈り取る刈取装置と、
前記左右両側の側壁部のうちのいずれか一方の側壁部の横外側に位置して、原動部から伝達される動力にて前記刈取装置を駆動する刈取駆動部と、
前記一方の側壁部における横外側に位置して前記刈取駆動部の横外方側箇所並びに下方側箇所を覆うフレーム体とが備えられているコンバイン。
【請求項２】
前記フレーム体に、最も横外側方に突出する最突出部と、前記最突出部の機体前部側に形成され且つ平面視で機体前方側ほど機体内方側に位置する傾斜姿勢の前側傾斜案内部とが備えられている請求項１記載のコンバイン。
【請求項３】
前記フレーム体に、最も横外側方に突出する最突出部と、前記最突出部の機体後部側に形成され且つ平面視で機体後方側ほど機体内方側に位置する傾斜姿勢の後側傾斜案内部とが備えられている請求項１又は２記載のコンバイン。
【請求項４】
前記フレーム体に、前記刈取駆動部の下方側箇所を覆う底面部と、前記最突出部の下端部から前記底面部に連なるように機体正面視で下方側ほど機体内方側に位置する傾斜姿勢の下側傾斜案内部とが備えられている請求項２又は３記載のコンバイン。
【請求項５】
前記左右両側の側壁部の前端部の夫々に、植立茎稈を刈取対象茎稈と非刈取対象茎稈とに分草するデバイダと、前記フレーム体の前側に位置し且つ前記非刈取対象茎稈を前記刈取作業領域の横外側方に案内するガイド杆とが備えられ、
前記一方の側壁部に備えられる前記ガイド杆に、前記デバイダから横外方後方側に傾斜状態で延出される傾斜案内部と、その傾斜案内部の後端部から機体内方側に向かって延び且つ機体内方側端部が前記一方の側壁部に固定される横向き連結部とが備えられている請求項１〜４のいずれか１項に記載のコンバイン。
【請求項６】
前記ガイド杆と前記フレーム体とが、それらの横外方側の先端部が機体正面視で同じ位置になる状態で備えられている請求項５記載のコンバイン。
【請求項７】
前記ガイド杆と前記フレーム体とが、前後方向に沿って一部重複する状態で備えられている請求項５又は６記載のコンバイン。
【請求項８】
前記ガイド杆が前記フレーム体よりも上方側に位置する状態で、それらが前後方向に沿って一部重複する状態で備えられている請求項７記載のコンバイン。
【請求項９】
前記一方の側壁部における外方側箇所に、前記刈取駆動部並びにその刈取駆動部に動力を伝える伝動機構の横外側を覆う化粧カバーが備えられ、
前記フレーム体が、前記化粧カバーの前部の横外方側箇所を覆う状態で備えられている請求項１〜８のいずれか１項に記載のコンバイン。
【発明の詳細な説明】
【技術分野】
【０００１】
本発明は、機体前部の刈取部に植立茎稈を刈り取る刈取装置が備えられたコンバインに関する。
【背景技術】
【０００２】
この種のコンバインでは、刈取部の左右両側の側壁部のうちのいずれか一方の側壁部の横外側に刈取装置を駆動するための刈取駆動部が備えられている。そして、従来では、このような刈取駆動部が配備される箇所の横外側は、例えば樹脂製の化粧カバー等により覆われる構成となっていた（例えば、特許文献１参照。）。
【先行技術文献】
【特許文献】
【０００３】
【特許文献１】特開２００７−１５９４６６号公報
【発明の概要】
【発明が解決しようとする課題】
【０００４】
上記従来構成では、刈取駆動部は刈取部における側壁部に備えられており、この側壁部は、刈取部全体を支持する支持枠体の一部を構成するものであって大きい支持強度を有するものである。そして、例えば刈取作業中において、機体前方から畦や圃場の突起部等が接近したような場合には、この側壁部にて、そのような畦や圃場の突起部等の外物を受止めて、刈取駆動部が損傷することを回避させることができる。
【０００５】
しかしながら、例えば、刈取作業に伴って、刈取駆動部が存在する箇所に対して、機体横側方から畦や圃場の突出部等が接近したような場合には、上記したような化粧カバーは充分な強度を備えるものではなく破損し易いおそれがあり、刈取駆動部に対して直接に畦や圃場の突出部等が接当して刈取駆動部が損傷するおそれがあった。
【０００６】
本発明の目的は、刈取装置を駆動するために備えられる刈取駆動部が損傷するおそれを少なくすることが可能となるコンバインを提供する点にある。
【課題を解決するための手段】
【０００７】
本発明に係るコンバインの第１特徴構成は、刈取部の左右両側の側壁部にて区画された刈取作業領域において植立茎稈を刈り取る刈取装置と、
前記左右両側の側壁部のうちのいずれか一方の側壁部の横外側に位置して、原動部から伝達される動力にて前記刈取装置を駆動する刈取駆動部と、
前記一方の側壁部における横外側に位置して前記刈取駆動部の横外方側箇所並びに下方側箇所を覆うフレーム体とが備えられている点にある。
【０００８】
第１特徴構成によれば、刈取部の左右両側の側壁部のうち、刈取駆動部が備えられる側の側壁部の横外側箇所に、刈取駆動部の横外方側箇所並びに下方側箇所を覆うフレーム体が備えられる。
【０００９】
このようなフレーム体が備えられることにより、刈取作業中などにおいて、畦や圃場の突出部等が刈取駆動部に対して、横側外方側から接近したような場合や下方側から接近したような場合のいずれの場合であっても、フレーム体によって受止めることにより、畦や圃場の突出部等が直接に刈取駆動部に接当して刈取駆動部が損傷することを回避させることができる。
【００１０】
従って、第１特徴構成によれば、刈取装置を駆動するために備えられる刈取駆動部が損傷するおそれを少なくすることが可能となるコンバインを提供できるに至った。
【００１１】
本発明の第２特徴構成は、前記フレーム体に、最も横外側方に突出する最突出部と、前記最突出部の機体前部側に形成され且つ平面視で機体前方側ほど機体内方側に位置する傾斜姿勢の前側傾斜案内部とが備えられている点にある。
【００１２】
第２特徴構成によれば、フレーム体は、最も横外側方に突出する最突出部を備えるので、畦や圃場の突出部等が横側外方側から接近したような場合には、その最突出部にて受止めることができる。そして、最突出部の機体前部側に位置する状態で、平面視で機体前方側ほど機体内方側に位置する傾斜姿勢の前側傾斜案内部が備えられるから、例えば、圃場で機体が前進走行しているときに、畦や圃場の突出部等が、機体横外側方の前部側からフレーム体に接近したような場合であっても、前側傾斜案内部体によって受止めることにより、畦や圃場の突出部等が直接に刈取駆動部に接当して刈取駆動部が損傷することを回避させることができる。その結果、刈取駆動部をより一層有効に保護し易いものとなる。
【００１３】
本発明の第３特徴構成は、前記フレーム体に、最も横外側方に突出する最突出部と、前記最突出部の機体後部側に形成され且つ平面視で機体後方側ほど機体内方側に位置する傾斜姿勢の後側傾斜案内部とが備えられている点にある。
【００１４】
第３特徴構成によれば、フレーム体は、最も横外側方に突出する最突出部を備えるので、畦や圃場の突出部等が横側外方側から接近したような場合には、その最突出部にて受止めることができる。そして、最突出部の機体後部側に位置する状態で、平面視で機体後方側ほど機体内方側に位置する傾斜姿勢の後側傾斜案内部が備えられるから、例えば、圃場で機体が後進走行しているときに、畦や圃場の突出部等が機体横外側方の後部側からフレーム体に接近したような場合であっても、傾斜姿勢の後側傾斜案内部によって受止めることにより、畦や圃場の突出部等が直接に刈取駆動部に接当して刈取駆動部が損傷することを回避させることができる。その結果、刈取駆動部をより一層有効に保護し易いものとなる。
【００１５】
本発明の第４特徴構成は、前記フレーム体に、前記刈取駆動部の下方側箇所を覆う底面部と、前記最突出部の下端部から前記底面部に連なるように機体正面視で下方側ほど機体内方側に位置する傾斜姿勢の下側傾斜案内部とが備えられている点にある。
【００１６】
第４特徴構成によれば、圃場で機体が走行しているときに、畦や圃場の突出部等が刈取駆動部の下方側から刈取駆動部に接近したような場合であっても、下方側箇所を覆う底面部により受止められるので刈取駆動部を保護することができる。又、畦や圃場の突出部等が機体横外側方の下方側の低い位置から斜め上方に向けて接近したような場合には、下側傾斜案内部にて受止められる。その結果、刈取駆動部をより一層有効に保護し易いものとなる。
【００１７】
本発明の第５特徴構成は、前記左右両側の側壁部の前端部の夫々に、植立茎稈を刈取対象茎稈と非刈取対象茎稈とに分草するデバイダと、前記フレーム体の前側に位置し且つ前記非刈取対象茎稈を前記刈取作業領域の横外側方に案内するガイド杆とが備えられ、
前記一方の側壁部に備えられる前記ガイド杆に、前記デバイダから横外方後方側に傾斜状態で延出される傾斜案内部と、その傾斜案内部の後端部から機体内方側に向かって延び且つ機体内方側端部が前記一方の側壁部に固定される横向き連結部とが備えられている点にある。
【００１８】
第５特徴構成によれば、一方の側壁部に備えられるガイド杆は、傾斜案内部と横向き連結部とが備えられるので、支持強度が大となり、畦や圃場の突起部等の茎稈以外の外物が傾斜案内部に接触することがあっても、その荷重を横向き連結部とそれが固定される一方の側壁部とにより受止めることができ、破損し難いものとなる。
【００１９】
このように刈取駆動部を支持する一方の側壁部に、強度の大きいガイド杆を備えることから、このガイド杆が刈取駆動部を保護する機能を有するものとなり、刈取駆動部の保護をより的確に行い易いものとなる。
【００２０】
本発明の第６特徴構成は、前記ガイド杆と前記フレーム体とが、それらの横外方側の先端部が機体正面視で同じ位置になる状態で備えられている点にある。
【００２１】
第６特徴構成によれば、ガイド杆の横外方側の先端部とフレーム体の横外方側の先端部とが機体正面視で同じ位置になっているから、機体横外側方から畦や圃場の突起部等の茎稈以外の外物が近接したような場合、前後に並ぶガイド杆とフレーム体とが略同じタイミングで外物に接触することになり、両者が協働で刈取駆動部を保護する機能を発揮することができ、刈取駆動部の保護をより的確に行い易いものとなる。
【００２２】
本発明の第７特徴構成は、前記ガイド杆と前記フレーム体とが、前後方向に沿って一部重複する状態で備えられている点にある。
【００２３】
第７特徴構成によれば、ガイド杆とフレーム体とが前後方向に沿って一部重複することから、それらが重複する箇所においては、畦や圃場の突起部等の外物が接触した場合、ガイド杆とフレーム体とが同時に保護機能を発揮することができ、両者が協働で刈取駆動部を保護する機能を発揮させ易いものになる。
【００２４】
本発明の第８特徴構成は、前記ガイド杆が前記フレーム体よりも上方側に位置する状態で一部重複している点にある。
【００２５】
第８特徴構成によれば、フレーム体はガイド杆に比べて支持強度が大きいものであるが、それらの重複箇所ではフレーム体がガイド杆の下方側に位置するので、畦や圃場の突起部等の外物が接近した場合、最初に、支持強度の大きいフレーム体が接当するので、刈取駆動部を保護する機能をより一層有効に発揮させ易いものになる。
【００２６】
本発明の第９特徴構成は、前記一方の側壁部における外方側箇所に、前記刈取駆動部並びにその刈取駆動部に動力を伝える伝動機構の横外側を覆う化粧カバーが備えられ、
前記フレーム体が、前記化粧カバーの前部の横外方側箇所を覆う状態で備えられている点にある。
【００２７】
第９特徴構成によれば、刈取駆動部や伝動機構の横外側が覆うための化粧カバーの前部の横外方側箇所をフレーム体によって覆うようにしたので、機体前部側から畦や圃場の突起部等の外物が接近するような場合であっても、フレーム体によって化粧カバーが破損することを防止でき、化粧カバーにより刈取駆動部や伝動機構の横外側を覆う状態を維持し易いものとなる。
【図面の簡単な説明】
【００２８】
【図１】普通型コンバインの全体側面図である。
【図２】普通型コンバインの全体平面図である。
【図３】刈取搬送部の一部切欠側面図である。
【図４】刈取部の側面図である。
【図５】回転リールの平面図である。
【図６】刈取部の背面図である。
【図７】刈取部に対する伝動構造を示す背面図である。
【図８】トルクリミッター配設部の縦断背面図である。
【図９】入力軸上の伝動機構を示す縦断背面図である。
【図１０】刈取駆動部配設部の正面図である。
【図１１】刈取駆動部配設部の平面図である。
【図１２】バランスウエイト配設部の斜視図である。
【発明を実施するための形態】
【００２９】
以下、図面に基づいて、本発明に係るコンバインの一例である普通型コンバインについて説明する。
図１及び図２に示すように、コンバインは、左右一対の操向不能な前輪１と左右一対の操向操作可能な後輪２とを備えた走行車体３の前部に、作物を刈り取って後方に搬送する刈取搬送装置としての刈取搬送部４が昇降用アクチュエータとしての油圧シリンダからなる刈取昇降シリンダ５により横向き支点周りで駆動昇降自在に支持されている。走行車体３には、前部側にキャビン６にて覆われた搭乗運転部７、刈取搬送部４にて刈り取られた作物の脱穀処理を行う脱穀装置８、その脱穀装置８にて脱穀処理されて得られた穀粒を貯留する穀粒タンク９、原動部としての駆動用のエンジン１０等が備えられている。
【００３０】
次に、刈取搬送部４の構成について説明する。
刈取搬送部４は、所定の刈幅で植立する作物を刈り取り、刈り取った作物を刈幅方向の中央部に寄せ集める刈取部１１と、刈り取られて中央に寄せ集められた作物を機体後方の脱穀装置８に向けて搬送するフィーダ１２とを備えて構成されている。
【００３１】
図２及び図３に示すように、刈取部１１は、刈取作物を受け止めて搬送する搬送デッキ１３、搬送デッキ１３の左右両側に位置する左右一対の側壁部１４Ｒ，１４Ｌ、及び、フィーダ１２に対する連結用の開口１５が形成された後部側の背面部１６を取付け固定した枠組み構造の刈取部フレーム１７を備えて構成されている。又、左右側壁部１４Ｒ，１４Ｌの前部に植立茎稈を刈取対象茎稈と非刈取対象茎稈とに分草するデバイダ１８と、非刈取対象茎稈を刈取作業領域の横外側方に案内するガイド杆１９とが備えられている。
【００３２】
刈取部１１には、搬送デッキ１３の上方に近接させた状態で、刈り取った作物を刈幅方向中間部に横送りして寄せ集める横送りオーガ２０が、左右の側壁部１４Ｒ，１４Ｌに亘って架設される状態で備えられ、搬送デッキ１３の前端に沿って作物の株元を切断する刈取装置２１が備えられている。又、横送りオーガ２０の前部上方箇所に、刈取対象となる作物の穂先側を後方に向けて掻込む回転リール２２が備えられている。
【００３３】
横送りオーガ２０は、大径のオーガドラム２３の外周に、その回転に伴ってフィーダ１２の前端部に向けて、横幅方向中央側へ寄せ集めるように横送りする左右一対のスクリュー羽根２４が備えられるとともに、フィーダ１２の前端入口に臨む箇所にオーガドラム２３から出退する棒状の掻込み体２５が周方向の複数箇所に備えられている。
【００３４】
図３に示すように、掻込み体２５は、オーガドラム２３の回転軸芯に対して偏芯した位置にて位置固定状態で支持される支持軸２５Ａに対してオーガドラム２３の回転に伴って回動自在に支持されており、オーガドラム２３の回転に伴ってオーガドラム２３の外周からの突出量が変化するように構成されている。
【００３５】
図１０及び図１１に示すように、刈取装置２１は、バリカン型に構成され、固定刃２１Ａと可動刃２１Ｂとが上下に重ねる状態で備えられて可動刃２１Ｂを一定ピッチで横方向に往復スライド駆動することにより、植立している作物を切断することができるように構成されている。
【００３６】
回転リール２２は、刈取部フレーム１７の基端側の上部から前方向きに延出している左右一対の支持アーム２６にて架設支持される状態で備えられている。
すなわち、図４及び図５に示すように、一対の支持アーム２６の先端部に回転自在に支持された駆動軸２７の左右端部に一体回転自在に側面視で五角形の左右一対のリールフレーム２８が備えられ、これらの左右一対のリールフレーム２８に亘って架設される状態で且つ五つの頂部に一本ずつ位置する状態でタイン支持部材２９が設けられ、各タイン支持部材２９には、その長手方向に沿って並べる状態で複数のタイン３０（掻込み爪）が取り付けられている。
【００３７】
タイン３０が回転リール２２の回転にかかわらずタイン支持部材２９から下方向きに延出した姿勢を保持するように、その姿勢を保持するための周知構成の姿勢保持機構３１が備えられている。
次に、この姿勢保持機構３１について簡単に説明する。図４及び図５に示すように、回転リール２２の一方の横外側に機体側面視で五角形の補助回転体３２が備えられている。そして、回転リール２２の回転に伴い、補助回転体３２を回転リール２２からリンク３３を介して伝達される駆動力によって回転リール２２の回転軸芯Ｐ１とは異なる軸芯Ｐ２周りに回転させるように構成されている。各タイン支持部材２９は、リンク３３と一体回動する状態でリールフレーム２８に対して相対回動自在に支持されている。そして、回転軸芯Ｐ１、回転軸芯Ｐ２、リンク３３の両側の回動支点の夫々を互いに連結する平行四連リンク機構が形成され、各タイン支持部材２９のタイン３０を回転リール２２の回転にかかわらずタイン支持部材２９から下方向きに延出した姿勢を保持する構成となっている。
【００３８】
一対の支持アーム２６夫々と刈取部フレーム１７とにわたって夫々油圧シリンダ３４が連結され、それら一対の油圧シリンダ３４によって、一対の支持アーム２６がその後部基端側の軸芯Ｐ３周りに刈取部フレーム１７に対して上下に揺動操作されることにより、回転リール２２が昇降自在に支持される構成となっている。
【００３９】
図５に示すように、タイン支持部材２９は金属パイプ材にて構成されており、タイン支持部材２９にタイン３０をボルト３５で締め付け固定する構成となっており、隣接する一対のタイン３０が金属バネ材にて一体形成される構成となっている。つまり、一対のタイン３０の頭部同士が連結部３６によって一体に連結され、その連結部３６に被取付部３７が形成され、この被取付部３７をタイン支持部材２９に当て付けた状態でボルト止めする構成としている。
【００４０】
詳述はしないが、一対のタイン３０は、夫々、螺旋形状のコイルばね部３８を介して一連に連なり下方に垂下するように一体形成されている。コイルばね部３８は、回転リール２２の回転駆動に伴う植立穀稈や地面等からの掻込み反力による垂下棒状部３９の曲げ変位を、縮径方向（又は拡径方向）の弾性変形によって吸収できるように構成されている。
【００４１】
又、５個のタイン支持部材２９の夫々における複数のタイン３０の配置構成は全て同じであり、タイン支持部材２９に複数のタイン３０が取付けられた組付けユニットは５組がすべて同じ構成のものを共用するようにしている。このように部材の共通化によりコスト低減を図っている。ちなみに、複数のタイン３０は、左右両側の端部付近においてタイン３０の隙間が大きくならないように、回転リール２２の左右両側端部を基準にして刈幅方向に所定の間隔をあけて並べる状態で備えられている。このように構成することにより、回転リール２２の左右両側の端部付近において、植立茎稈の掻き込みミスが生じないようにしている。
【００４２】
図３に示すように、フィーダ１２は、角筒状に形成された搬送ケース４０の内部に係止搬送式の搬送コンベア４１を装備して構成されている。搬送コンベア４１は、横軸芯周りで回動自在に支持された駆動スプロケット（図示せず）と従動輪体４２とにわたって縦回し巻回された左右一対の無端回動チェーン４３が備えられている。そして、それら左右一対の無端回動チェーン４３に亘って搬送バー４４を所定ピッチで横架連結されており、無端回動チェーン４３が駆動回動されることにより、刈取部１１にて横送りされた作物が搬送ケース４０内において搬送バー４４にて掻き上げ搬送されて脱穀装置８に投入すべく搬送するように構成されている。
【００４３】
図３に示すように、フィーダ１２における搬送ケース４０の前端部には、刈取部１１との接続用開口部４５を構成する矩形状の連結用周枠部４６が構成されており、この連結用周枠部４６の下辺枠部を構成する下側フレーム部４７が備えられ、この下側フレーム部４７に接続された角筒状の支持部材４８を介して刈取昇降シリンダ５が接続されている。
【００４４】
図６に示すように、フィーダ１２が接続される刈取部１１の背面部１６には、上下両側部に夫々、横方向全幅に亘って延びる状態で角パイプ状のフレーム部材４９，５０が備えられ、この背面部１６にはフィーダ１２との接続用の開口１５が形成されるとともに、その接続用の開口１５を除く領域は壁部にて覆われる構成となっている。そして、接続用の開口１５の左右両側には、上下のフレーム部材４９，５０にわたって上下方向に延びる状態で平面視で略コの字形の縦型補強部材５１が備えられている。
【００４５】
図３及び図６に示すように、上部側のフレーム部材４９における開口１５の上部側に相当する箇所には、断面形状が略Ｌ字形の板材からなる補強用板体５２がフレーム部材４９の角部に当てつけて溶接固定する状態で備えられている。この補強用板体５２は、左右両側の縦型補強部材５１よりも少し横外方の箇所にまで延設されている。
【００４６】
次に、刈取部１１に対する伝動構造について説明する。
走行車体３側からエンジン１０の動力がフィーダ１２の横一側に沿って張設された入力用伝動チェーン（図示せず）を介して、図６に示すように、刈取部１１におけるフィーダ１２の右側に位置する背面部１６に沿って横架された入力軸５３に動力が供給されている。
【００４７】
図６及び図７に示すように、入力軸５３に供給された動力が、オーガ用伝動機構５４、刈刃用伝動機構５５、及び、リール用伝動機構５６夫々を介して、横送りオーガ２０、刈取装置２１、及び、回転リール２２に供給されるように伝動系が構成されている。入力軸５３は、背面部１６に沿って車体横幅方向に沿って延び、右側の側壁部１４Ｒよりも横外方に突出する状態で軸受部材５７にて回動自在に支持されている。
【００４８】
オーガ用伝動機構５４は、図４、図７及び図８に示すように、入力軸５３の軸受部材５７よりも外方側に備えられた駆動スプロケット５８と、横送りオーガ２０におけるオーガドラム２３と一体回動する駆動軸５９に備えられた従動スプロケット６０とに亘って、オーガ駆動用の無端回動チェーン６１が巻回されて構成されている。そして、このオーガ用伝動機構５４には、設定値以上のトルクが掛かると相対回動を許容するトルクリミッター６２が備えられている。
【００４９】
図８に示すように、トルクリミッター６２は、横送りオーガ２０の駆動軸５９に対して従動スプロケット６０が相対回動自在に外嵌され、この従動スプロケット６０と駆動軸５９と一体回動する連動部材６３との間に軸芯方向に沿って咬み合う咬合い部６４が形成され、それらが咬み合う方向に従動スプロケット６０を押圧付勢するバネ６５を備えて構成されている。
【００５０】
このトルクリミッター６２は、横送りオーガ２０にて作物が詰まる等により横送りオーガ２０の回転が阻止され、駆動軸５９に設定値以上のトルクが掛かると、バネ６５の付勢力に抗して咬合い部６４が空回りして、相対回動を許容する構成となっている。
【００５１】
そして、トルクリミッター６２は、上述したような咬合い部６４の空回りが発生したときに、その空回りによって設定圧調整用の部材を兼用しているバネ受け部材６６が回動して設定圧が変化することが無いように構成されている。
【００５２】
すなわち、駆動軸５９の軸端部にネジ部６７が形成され、バネ受け部材６６を受け止め保持するための２個のナット６８がこのネジ部６７に装着されている。駆動軸５９に形成されるネジ部６７は、上述したような空回りが発生してもナット６８が緩むことがないようにネジが形成されている。
【００５３】
説明を加えると、上述したような空回り時には、作物が詰まり等に起因して駆動軸５９の回転が停止されるが、咬合い部６４が空回りして、従動スプロケット６０が回転を続けることになる。そのとき、従動スプロケット６０の回転に伴って、バネ６５、及び、バネ受け部材６６が連回りすることがある。このような連回りによってナット６８も連回りしようとするが、ネジ部６７は、その連回りの際にナット６８が軸端側（図８の右側）に螺進するような形状に設けられている。
【００５４】
ナットが２個並ぶ状態で設けられているので、空回りが発生してバネ受け部材６６側の位置するナット６８が軸端側（図８の右側）に螺進するように回動しようとしても、ナット６８は回動することはなく、バネ受け部材６６が軸心方向に位置変化することはない。
【００５５】
又、バネ受け部材６６と駆動軸５９に形成されている軸段差部６９との間には、複数枚の間隔調整板（シム）７０が備えられ、トルク設定圧を変更調整するときは、先ず、２個のナット６８を外したのち、間隔調整板（シム）７０の個数を変更して、再度、２個のナット６８を装着してバネ側に螺進させてバネ受け部材６６をバネ側に移動させて締め付けることで、トルクリミッター６２のトルク設定圧を変更することができる。
【００５６】
図４に示すように、刈刃用伝動機構５５が、入力軸５３における横軸芯周りでの回転運動を前後向き軸芯周りの往復回動に変換する回転変換機構７１と、回転変換機構７１から前方に向けて延びる前後向きの中継伝動軸７２と、その中継伝動軸７２と刈取装置２１とを連動連結する連動操作部材としての揺動アーム７３とを備えて構成されている。
【００５７】
図９に示すように、回転変換機構７１は、入力軸５３の端部に連結された傾斜ヘッド７４と、この傾斜ヘッド７４の傾斜軸心ｄ周りで回動可能なように傾斜ヘッド部７４に外嵌された傾斜ボス７５と、機体側面視で略Ｕ字状に形成され且つ傾斜ボス７５を跨ぐ状態でその傾斜ボス７５の外周部に枢支連結されたヨーク７６とが備えられている。
【００５８】
すなわち、入力軸５３の右側端部にスプライン係合する状態で傾斜ヘッド７４を一体回動自在に外嵌装着するとともに、入力軸５３の軸端部に形成されたネジ部７７を傾斜ヘッド７４の外方に突出させ、このネジ部７７に傾斜ヘッド７４の外方側から２つのナット７８を締め付けて傾斜ヘッド７４が固定されている。このように構成することで、傾斜ヘッド７４が入力軸５３に対して連結状態が良好に維持されるようにしている。
【００５９】
説明を加えると、入力軸５３に伝えられる動力は横送りオーガ２０にも伝えられるが、この横送りオーガ２０は作物の詰まりを解消するために通常の回転方向とは逆方向に回転させる必要があり、入力軸５３を逆回転状態で駆動することがある。このように逆方向に回転させるようにしても、傾斜ヘッド７４がスプライン係合しており、２つのナット７８を締め付け構成とすることで、緩みが発生するおそれがなく、連結状態が良好に維持されるのである。
【００６０】
又、傾斜ヘッド７４に傾斜軸心ｄ周りに回動可能に傾斜ボス７５が遊転自在に外嵌装着され、この傾斜ボス７５の外周対角位置に備えられた一対の支点ピン７９にてその支点ピン７９の軸心周りで相対回動自在にヨーク７６が取付けられている。そして、このヨーク７６の背部に前後向きの中継伝動軸７２が一体的に連結されている。
【００６１】
入力軸５３が横向き軸心周りに回転することで傾斜ボス７５の傾斜軸心ｄが正逆に首振り作動され、傾斜ボス７５に支点ピン７９およびヨーク７６を介して、そのヨーク７６に連動連結された中継伝動軸７２を所定角度で往復回動するように構成されている。
【００６２】
図４に示すように、中継伝動軸７２は、一方の側壁部としての右側の側壁部１４Ｒの外側面に沿って、回転変換機構７１から前方下方に向けて延出されており、前部側端部が右側の側壁部１４Ｒに備えられた軸受装置８０により回動自在に支持されている。中継伝動軸７２の軸受装置８０よりも機体前方側へ突出した先端部に、スプライン嵌合する状態で一体回動自在に且つ径方向に延びる状態で揺動アーム７３が連結されている。
【００６３】
図１０及び図１１に示すように、中継伝動軸７２の前端に連結した揺動アーム７３の揺動端部に中継リンク８１の一端側が枢支連結され、中継リンク８１の他端側が刈取装置２１における可動刃２１Ｂに枢支連結されている。すなわち、揺動アーム７３と可動刃２１Ｂとが中継リンク８１を介して連動連結され、中継伝動軸７２の往復回動によって可動刃２１Ｂが一定ストロークで左右に往復駆動されるように構成されている。このような揺動アーム７３や中継リンク８１等の中継伝動軸７２と刈取装置２１とを連動連係する構成が刈取駆動部Ｋに対応する。
【００６４】
図４及び図１２に示すように、中継伝動軸７２の外周部に軸芯方向に沿って延びる状態でバランスウエイト８２が備えられている。このバランスウエイト８２は、中継伝動軸７２における回転変換機構７１側の端部と刈取装置２１側の端部とに亘って延びる状態で備えられている。
【００６５】
バランスウエイト８２は、中継伝動軸７２の軸芯方向に離間した箇所において中継伝動軸７２の径方向に沿って延びる複数の脚部８３と、それらの複数の脚部８３の径方向外方側端部同士を連結する横延設部８４とを備える構成となっている。又、脚部８３として、バランスウエイト８２における軸芯方向両側端部に位置する一対の端部側の脚部８３Ａと、それら一対の端部側の脚部８３Ａ同士の中間部に位置する中間側の脚部８３Ｂとを備え、中間側の脚部８３Ｂを軸芯方向に沿って間隔をあけて複数（図１２に示す例では２個）備える構成となっている。
【００６６】
具体的な構成について説明すると、図１２に示すように、バランスウエイト８２は、２つのウエイト単位体８５と、その２つのウエイト単位体８５同士を連結するウエイト連結体８６とを備えて構成されている。
【００６７】
ウエイト単位体８５は、中継伝動軸７２の径方向に延びる一対の脚部８３と、それら一対の脚部８３の径方向外方側端部同士を連結する連結部８７とからなり、このようなウエイト単位体８５が、中継伝動軸７２の軸芯方向に沿って間隔をあけて並ぶ状態で２つ備えられている。具体的には、ウエイト単位体８５は、帯板材を略コの字形（角ばったＵ字形）に折り曲げた形状となっている。
【００６８】
２つのウエイト単位体８５夫々の連結部８７同士を一体的に溶接固定にて連結する平坦な帯板状の金属材からなるウエイト連結体８６が備えられている。そして、２つのウエイト単位体８５夫々の連結部８７とウエイト連結体８６とにより前記横延設部８４が形成されている。
【００６９】
従って、バランスウエイト８２は４個の脚部８３を備えており、そのうちの最後部側の脚部８３と最前部側の脚部８３が端部側の脚部８３Ａに対応し、それらの中間部に位置する２つの脚部８３が中間側の脚部８３Ｂに対応している。
【００７０】
図１２に示すように、バランスウエイト８２の機体後部側の脚部８３が、中継伝動軸７２の外周部に連結されるとともに、回転変換機構７１におけるヨーク７６の底部の外面側に面接触状態で当てつけられた状態で溶接にて連結固定されている。又、図９に示すように、バランスウエイト８２における中継伝動軸７２の径方向外方側端部（横延設部８４の径方向外方側端面）が、ヨーク７６の径方向外方側端部よりも径方向外方側に位置する状態で備えられている。
【００７１】
図１２に示すように、揺動アーム７３が、中継伝動軸７２から下方側に向けて固定延出する状態で備えられ、バランスウエイト８２が、中継伝動軸７２の上方側に向けて固定延出する状態で備えられている。このように構成することで、バランスウエイト８２の重量によって、中継伝動軸７２に掛かる可動刃２１Ｂの駆動に基づく慣性力を打ち消させることができ、刈取装置２１の駆動に伴う中継伝動軸７２の振動を抑制することができる。
【００７２】
次に、リール用伝動機構５６について説明する。
図４及び図７に示すように、入力軸５３よりも上方側に位置する状態で車体横幅方向に沿う第１中継軸８８が備えられ、さらに、第１中継軸８８よりも上方側に位置する状態で車体横幅方向に沿う第２中継軸８９が備えられている。
【００７３】
第１中継軸８８は、右側の側壁部１４Ｒの後側部に固定された支持部材９０にて固定支持される軸受部材９１により横向き回動軸芯周りで回転自在に支持されている。入力軸５３に備えられた駆動スプロケット９２と、第１中継軸８４に備えられた従動スプロケット９３とにわたって、第１のリール用無端回動チェーン９４が巻回されている。
【００７４】
第２中継軸８９は、支持アーム２６を回動自在に支持する支点軸９５に同一軸芯上に回動自在に備えられ、第１中継軸８８に備えられた駆動スプロケット９６と、第２中継軸８９に備えられた従動スプロケット９７とにわたって、第２のリール用無端回動チェーン９８が巻回されている。
【００７５】
第２中継軸８９と回転リール２２の駆動軸２７とにわたってベルト無段変速装置９９が備えられている。第２中継軸８９に備えられた駆動側プーリ１００と駆動軸２７に備えられた従動側プーリ１０１とに亘って変速用の伝動ベルト１０２が巻回されている。詳述はしないが、駆動側プーリ１００が割りプーリ式に構成されており、従動側プーリ１０１はベルト巻回径が一定の固定プーリにて構成されて、伝動比率（変速比）を変更させることが可能なベルト無段変速装置９９が構成されている。
【００７６】
上記したような刈取部１１の横一側箇所に備えられる伝動機構、すなわち、刈刃用伝動機構５５、オーガ用伝動機構５４、及び、リール用伝動機構５６における下側の部分の横側外方箇所が化粧カバーとしての下部側カバー体１０３によって覆われており、リール用伝動機構５６における上側に位置するベルト無段変速装置９４の横側外方箇所が化粧カバーとしての上部側カバー体１０４によって覆われている（図１参照）。
【００７７】
図４及び図１０〜図１２に示すように、刈取部１１における右側の側壁部１４Ｒにおける外方側箇所に位置して、刈取駆動部Ｋの横側外方側箇所並びに下方側箇所を覆うフレーム体１０５が備えられている。
このフレーム体１０５は、中凹み状に屈曲した板材にて構成され、屈曲した板材により後述するような各部が一連に連なる状態で形成されている。このフレーム体１０５は、厚みのある金属製の板材であって剛性が高い部材にて構成されている。
【００７８】
このフレーム体１０５には、刈取駆動部Ｋの横側外方側に位置する箇所に、最も横側外方に突出する状態で、前後方向に幅狭の縦面である最突出部１０６が形成されている。そして、その最突出部１０６の機体前部側に連なる状態で、平面視で機体前方側ほど機体内方側に位置する傾斜姿勢となり且つ上下方向に延びる縦面である前側傾斜案内部１０７が形成されている。又、最突出部１０６の機体後部側に連なる状態で、平面視で機体後方側ほど機体内方側に位置する傾斜姿勢となり且つ上下方向に延びる縦面である後側傾斜案内部１０８が形成されている。
【００７９】
そして、図４に示すように、フレーム体１０５の最下部には、刈取駆動部Ｋの下方側箇所を覆う状態で底面部１０９が形成されている。この底面部１０９は、機体後部側に位置する後部側底面部分１０９ａと、その後部側底面部分１０９ａの前部に連なる前部側底面部分１０９ｂとにより形成される。前部側底面部分１０９ｂは後部側底面部分１０９ａに対して前上がり傾斜姿勢となるように、側面視で略Ｌ字形に折れ曲がる形状になるように設けられている。
【００８０】
又、図１０に示すように、最突出部１０６の下端部から底面部１０９に連なるように、機体正面視で下方側ほど機体内方側に位置する傾斜姿勢の下側傾斜案内部１１０が形成されている。図４に示すように、この下側傾斜案内部１１０は、前側傾斜案内部１０７及び後側傾斜案内部１０８の下端部にも連なる状態で形成されており、略三角形状の傾斜面として形成されている。
【００８１】
上述したように、フレーム体１０５は、中凹み状に屈曲した板材にて構成されるものであり、最突出部１０６、前側傾斜案内部１０７、後側傾斜案内部１０８、後部側底面部分１０９ａ、前部側底面部分１０９ｂ等が、夫々、平板状に形成されて、それらが略Ｌ字形の屈曲するような形状となっている。
【００８２】
このフレーム体１０５は、底面部１０９の前部側端部に形成された前部側取付け部１１１及び後部側端部に形成された後部側取付け部１１２を右側の側壁部１４Ｒにボルト連結することにより固定されている。
【００８３】
図１１に示すように、右側の側壁部１４Ｒの横外方側に備えられるガイド杆１９は、デバイダから横外方後方側に向けて延出される傾斜案内部１９Ａと、その傾斜案内部１９Ａの後端部から機体内方側に向かって延び且つ機体内方側端部が右側の側壁部１４に固定される横向き連結部１９Ｂとを備えて構成されている。
【００８４】
具体的には、ガイド杆１９は、丸パイプ材を略Ｌ字形に折り曲げて、傾斜案内部１９Ａと横向き連結部１９Ｂとが一連に連なる一体形状として形成され、その一端部と他端部とが夫々、側壁部１４Ｒに取付け固定されている。ガイド杆１９をこのように構成することで、例えば、片持ち状に形成するものに比べて、ガイド杆１９の強度が大となり、畦等の茎稈以外の外物に接触することがあっても破損し難いものとなる。
尚、側壁部１４Ｒの横幅方向内方側には、刈取対象茎稈を刈取作業領域の内側に案内する内側ガイド杆１１３が設けられている。
【００８５】
図１１に示すように、右側のガイド杆１９とフレーム体１０５とが、それらの横外方側端部位置が機体正面視で同じ位置になる状態で備えられている。上記したように、ガイド杆１９の強度が大となるものであり、このガイド杆１９をフレーム体１０５と同様に刈取駆動部Ｋを保護する部材に兼用することができ、刈取駆動部Ｋを保護する機能をより向上させることができる。
【００８６】
右側のガイド杆１９とフレーム体１０５とが、前後方向に沿って一部重複する状態で備えられている。つまり、図４に示すように、ガイド杆１９の後端側部分とフレーム体１０５の前端側部分が前後方向に沿って一部重複する状態で両者が配備されている。具体的には、ガイド杆１９が上側に位置しフレーム体１０５が下側に位置して側面視で重なり合う状態となっている。このように構成することで、前後方向にコンパクトに配置することができるとともに、重複部分では両者が共に外物との接触に対して保護する機能を有するので刈取駆動部Ｋを保護する機能を高めることができる。
【００８７】
図１及び図２に示すように、フレーム体１０５が、下部側カバー体１０３の横外方側端部位置よりも横側外方に突出する状態で備えられ、フレーム体１０５は、下部側カバー体１０３が外物と接触して損傷することを保護する機能を備えている。
【００８８】
〔別実施形態〕
以下、別実施形態を列記する。
【００８９】
（１）上記実施形態では、ガイド杆１９とフレーム体１０５とが、それらの横外方側の先端部が機体正面視で同じ位置になる状態で備えられ、且つ、ガイド杆１９とフレーム体１０５とが、前後方向に沿って一部重複する状態で備えられる構成を示したが、ガイド杆１９とフレーム体１０５との横外方側の先端部が異ならせるようにしたり、それらを前後方向に離間させて配備する等、配置構成を異ならせて実施してもよい。
【００９０】
（２）上記実施形態では、右側の側壁部１４Ｒに備えられるガイド杆１９に傾斜案内部１９Ａと横向き連結部１９Ｂとが備えられる構成を示したが、このような構成に代えて、ガイド杆１９を直線状に斜め後方に向けて片持ち状に延設する構成としてもよい。
【００９１】
（３）上記実施形態では、一方の側壁部として右側の側壁部１４Ｒにフレーム体１０５が備えられるものを示したが、左側の側壁部１４Ｌにフレーム体１０５を備える構成としてもよい。
【００９２】
（４）上記実施形態では、フレーム体１０５が中凹み状に屈曲した板材にて構成されるもの、具体的には  上述したように、フレーム体１０５は、板材を略Ｌ字形に屈曲して、最突出部１０６、前側傾斜案内部１０７、後側傾斜案内部１０８等の各部を形成するものを示したが、フレーム体としては、このような構成に限らず、次のように構成するものでもよい。
板材を略Ｌ字形に屈曲するものに代えて、滑らかな円弧状に湾曲させる形態で曲げる形状のものでもよい。
又、板材を中凹み状に曲げた形状のものに代えて、例えば、棒状部材を折り曲げて構成したもの、あるいが、格子状に形成されるもの等、種々の構成のものを用いることができ、要するに、少なくとも刈取駆動部Ｋの横外方側箇所並びに下方側箇所を覆い、刈取駆動部Ｋを保護する機能を備えるものであればよい。
【００９３】
（５）上記実施形態では、コンバインとして普通型コンバインを例示したが、本発明は自脱型コンバインにも適用できる。
【産業上の利用可能性】
【００９４】
本発明は、普通型コンバインや自脱型コンバイン等の機体前部の刈取部に植立茎稈を刈り取る刈取装置が備えられたコンバインに適用できる。
【符号の説明】
【００９５】
１０            原動部
１１            刈取部
１４Ｒ，１４Ｌ  側壁部
１８            デバイダ
１９            ガイド杆
１９Ａ          傾斜案内部
１９Ｂ          横向き連結部
２１            刈取装置
５５            伝動機構
１０３          化粧カバー
１０５          フレーム体
１０６          最突出部
１０７          前側傾斜案内部
１０８          後側傾斜案内部
１０９          底面部
１１０          下側傾斜案内部
Ｋ              刈取駆動部
【図１】
2014033671.tif 000003
【図２】
2014033671.tif 000004
【図３】
2014033671.tif 000005
【図４】
2014033671.tif 000006
【図５】
2014033671.tif 000007
【図６】
2014033671.tif 000008
【図７】
2014033671.tif 000009
【図８】
2014033671.tif 000010
【図９】
2014033671.tif 000011
【図１０】
2014033671.tif 000012
【図１１】
2014033671.tif 000013
【図１２】
2014033671.tif 000014